(57)【要約】【課題】  音声信号を増幅しないチャンネルの増幅回路にも電源電圧が常に供給され続けることにより無駄な電力消費が発生するという問題を解決する。【解決手段】  ＡＶアンプ１は、複数チャンネルの音声信号を増幅する複数チャンネルのアンプＡＦＬ〜ＡＳＷと、複数チャンネルのアンプＡＦＬ〜ＡＳＷの各々に電源電圧を供給する電源回路４と、複数チャンネルのアンプＡＦＬ〜ＡＳＷの各々に電源電圧を供給するか否か切り換える電源供給スイッチＳＷ１〜ＳＷ５と、スピーカー設定テーブルの設定内容に基づいて、電源電圧を供給する必要があると判断されたチャンネルのアンプには電源電圧を供給し、電源電圧を供給する必要がないと判断されたチャンネルのアンプには電源電圧の供給を遮断するようにスイッチＳＷ１〜ＳＷ５を制御するマイコン２とを備える。【選択図】図３
2011082718.tif 000002
【特許請求の範囲】
【請求項１】
複数チャンネルの音声信号を増幅する複数チャンネルの増幅部と、
前記複数チャンネルの増幅部の各々に電源電圧を供給する電源部と、
前記複数チャンネルの増幅部の各々に前記電源部からの電源電圧を供給するか、又は、前記電源部からの電源電圧の供給を遮断するかを切り換えるスイッチ部と、
前記複数チャンネルの増幅部の各々について、前記電源部からの電源電圧を供給する必要があるか否かを判断する判断手段と、
前記電源部からの電源電圧を供給する必要があると判断されたチャンネルの増幅部には前記電源部からの電源電圧を供給し、前記電源部からの電源電圧を供給する必要がないと判断されたチャンネルの増幅部には前記電源部からの電源電圧の供給を遮断するように前記スイッチ部を制御するスイッチ制御手段とを備える、増幅装置。
【請求項２】
複数チャンネルのスピーカーの各々について使用有無を設定するスピーカー設定手段をさらに備え、
前記判断手段が、複数チャンネルのスピーカーの各々について、前記スピーカー設定手段によってスピーカー使用有と設定されているチャンネルの増幅部には前記電源部からの電源電圧を供給する必要があると判断し、前記スピーカー設定手段によってスピーカー使用無と設定されているチャンネルの増幅部には前記電源部からの電源電圧を供給する必要がないと判断する、請求項１に記載の増幅装置。
【請求項３】
複数チャンネルの音声信号を受信する受信部と、
前記受信部が受信する音声信号のチャンネルを判別するチャンネル判別手段とをさらに備え、
前記判断手段が、前記受信部が受信すると判断されたチャンネルの増幅部には前記電源部からの電源電圧を供給する必要があると判断し、前記受信部が受信しないと判断されたチャンネルの増幅部には前記電源部からの電源電圧を供給する必要がないと判断する、請求項１または２に記載の増幅装置。
【請求項４】
複数チャンネルの音声信号を増幅する複数チャンネルの増幅部と、
前記複数チャンネルの増幅部の各々に電源電圧を供給する電源部と、
前記複数チャンネルの増幅部の各々に前記電源部からの電源電圧を供給するか、又は、前記電源部からの電源電圧の供給を遮断するかを切り換えるスイッチ部と、
複数チャンネルのスピーカーの各々について使用有無を設定するスピーカー設定手段と、
複数チャンネルのスピーカーの各々について、前記スピーカー設定手段による使用有無の設定内容を判断する判断手段と、
スピーカー使用有と設定されていると判断されたチャンネルの増幅部には前記電源部からの電源電圧を供給し、スピーカー使用無と設定されていると判断されたチャンネルの増幅部には前記電源部からの電源電圧の供給を遮断するように前記スイッチ部を制御するスイッチ制御手段とを備える、増幅装置。
【請求項５】
請求項１〜４のいずれかに記載の増幅装置の各手段をコンピュータに実行させる、増幅装置の動作プログラム。
【発明の詳細な説明】
【技術分野】
【０００１】
本発明は、マルチチャンネル音声データの各チャンネルの音声信号を増幅する増幅装置に関する。
【背景技術】
【０００２】
ＢＤプレーヤと、ＡＶアンプと、ディスプレイ装置とを備える音声再生システムが利用されている。ＢＤプレーヤからＡＶアンプに送信される音声データは、マルチチャンネル音声データがエンコードされたものである。例えば、マルチチャンネル音声データは、図１に示すように、左音声信号ＦＬ、右音声信号ＦＲ、中央音声信号Ｃ、低域音声信号ＳＷ、サラウンド左音声信号ＳＬ、サラウンド右音声信号ＳＲ、サラウンド後方左音声信号ＳＢＬ、サラウンド後方右音声信号ＳＢＲを含む。増幅装置は、これらのチャンネル毎にアンプ回路を備えており、各チャンネルの音声信号を増幅し、各チャンネルのスピーカーに音声信号を出力する。各チャンネルのスピーカーの全てをＡＶアンプに接続するのではなく、一部のチャンネルのスピーカーのみをＡＶアンプに接続することがある。ＡＶアンプのスピーカー設定において、スピーカーを接続していないチャンネルについては、スピーカー使用無と設定することができる。これにより、ＡＶアンプは、スピーカー使用無と設定されているチャンネルの音声信号を、スピーカー使用有と設定されているチャンネルの音声信号に合成することによって、スピーカー使用無と設定されているチャンネルの音声信号も再生することができる。しかし、従来のＡＶアンプにおいては、スピーカー使用無と設定されているチャンネルのアンプ回路は、音声信号を増幅しないにもかかわらず、電源回路から電源電圧が供給されているので、無駄な電力消費が発生するという問題がある。
【０００３】
例えば、サラウンド左音声信号ＳＬおよびサラウンド右音声信号ＳＲのスピーカーは使用有に設定され、サラウンド後方左音声信号ＳＢＬおよびサラウンド後方右音声信号ＳＢＲのスピーカーは使用無に設定されている場合、サラウンド後方左音声信号ＳＢＬはサラウンド左音声信号ＳＬに合成され、サラウンド左音声信号ＳＬのアンプ回路で増幅され、サラウンド後方右音声信号ＳＢＲはサラウンド右音声信号ＳＲに合成され、サラウンド右音声信号ＳＲのアンプ回路で増幅される。サラウンド後方左音声信号ＳＢＬおよびサラウンド後方右音声信号ＳＢＲの各アンプ回路は音声信号を増幅しないが、電源電圧が供給されており、電力を消費している。
【０００４】
同様に、ＡＶアンプ２０に入力されるマルチチャンネル音声データに一部のチャンネルの音声信号が含まれていないために音声信号を増幅しないアンプ回路にも電源電圧が供給されており、無駄な電力消費が生じるという問題がある。
【先行技術文献】
【特許文献】
【０００５】
【特許文献１】特開平８−３３０８５３号公報
【発明の概要】
【発明が解決しようとする課題】
【０００６】
本発明は上記従来の課題を解決するためになされたものであり、その目的は、音声信号を増幅しないチャンネルの増幅回路にも電源電圧が常に供給され続けることにより無駄な電力消費が発生するという問題を解決する増幅装置を提供することである。
【課題を解決するための手段】
【０００７】
本発明の好ましい実施形態による増幅装置は、複数チャンネルの音声信号を増幅する複数チャンネルの増幅部と、前記複数チャンネルの増幅部の各々に電源電圧を供給する電源部と、前記複数チャンネルの増幅部の各々に前記電源部からの電源電圧を供給するか、又は、前記電源部からの電源電圧の供給を遮断するかを切り換えるスイッチ部と、前記複数チャンネルの増幅部の各々について、前記電源部からの電源電圧を供給する必要があるか否かを判断する判断手段と、前記電源部からの電源電圧を供給する必要があると判断されたチャンネルの増幅部には前記電源部からの電源電圧を供給し、前記電源部からの電源電圧を供給する必要がないと判断されたチャンネルの増幅部には前記電源部からの電源電圧の供給を遮断するように前記スイッチ部を制御するスイッチ制御手段とを備える。
【０００８】
電源部からの電源電圧を供給する必要があると判断されたチャンネルの増幅部には電源部からの電源電圧を供給し、電源部からの電源電圧を供給する必要がないと判断されたチャンネルの増幅部には電源部からの電源電圧の供給を遮断するので、電源部からの電源電圧を供給する必要がない増幅部に電源電圧が供給され続けることが防止され、無駄な電力消費の発生を防止できる。
【０００９】
好ましい実施形態においては、複数チャンネルのスピーカーの各々について使用有無を設定するスピーカー設定手段をさらに備え、前記判断手段が、複数チャンネルのスピーカーの各々について、前記スピーカー設定手段によってスピーカー使用有と設定されているチャンネルの増幅部には前記電源部からの電源電圧を供給する必要があると判断し、前記スピーカー設定手段によってスピーカー使用無と設定されているチャンネルの増幅部には前記電源部からの電源電圧を供給する必要がないと判断する。
【００１０】
スピーカー使用無と設定されているチャンネルの増幅部は、音声信号が供給されず、音声信号を増幅しない。従って、当該チャンネルの増幅部に電源電圧を供給しないことにより、無駄な電力消費の発生を防止できる。
【００１１】
好ましい実施形態においては、複数チャンネルの音声信号を受信する受信部と、前記受信部が受信する音声信号のチャンネルを判別するチャンネル判別手段とをさらに備え、前記判断手段が、前記受信部が受信すると判断されたチャンネルの増幅部には前記電源部からの電源電圧を供給する必要があると判断し、前記受信部が受信しないと判断されたチャンネルの増幅部には前記電源部からの電源電圧を供給する必要がないと判断する。
【００１２】
音声信号を受信していないチャンネルの増幅部は、音声信号を増幅しない。従って、当該チャンネルの増幅部に電源電圧を供給しないことにより、無駄な電力消費の発生を防止できる。
【００１３】
本発明の別の好ましい実施形態による増幅装置は、複数チャンネルの音声信号を増幅する複数チャンネルの増幅部と、前記複数チャンネルの増幅部の各々に電源電圧を供給する電源部と、前記複数チャンネルの増幅部の各々に前記電源部からの電源電圧を供給するか、又は、前記電源部からの電源電圧の供給を遮断するかを切り換えるスイッチ部と、複数チャンネルのスピーカーの各々について使用有無を設定するスピーカー設定手段と、複数チャンネルのスピーカーの各々について、前記スピーカー設定手段による使用有無の設定内容を判断する判断手段と、スピーカー使用有と設定されていると判断されたチャンネルの増幅部には前記電源部からの電源電圧を供給し、スピーカー使用無と設定されていると判断されたチャンネルの増幅部には前記電源部からの電源電圧の供給を遮断するように前記スイッチ部を制御するスイッチ制御手段とを備える。
【発明の効果】
【００１４】
音声信号を増幅しないチャンネルの増幅回路にも電源電圧が常に供給され続けることにより無駄な電力消費が発生するという問題を解決することができる。
【図面の簡単な説明】
【００１５】
【図１】音声信号の各チャンネルが再生される位置を示す図である。
【図２】ＡＶアンプ１及びスピーカーの配置を示す図である。
【図３】ＡＶアンプ１の要部を示すブロック図である。
【図４】スピーカー設定テーブルを示す図である。
【図５】マイコン２の処理を示すフローチャートである。
【図６】マイコン２の処理を示すフローチャートである。
【発明を実施するための形態】
【００１６】
以下、本発明の好ましい実施形態によるＡＶアンプ（増幅装置）について、図面を参照して具体的に説明するが、本発明はこれらの実施形態には限定されない。ＡＶアンプは、ＢＤプレーヤやＤＶＤプレーヤ等のソース機器からマルチチャンネル音声データを受信し、マルチチャンネル音声データをデコードすることにより、複数チャンネルの音声データを得る。ＡＶアンプは、ＤＡＣを備え、各チャンネルの音声データをＤＡＣによってデジタル／アナログ変換し、各チャンネルの音声信号を得る。ＡＶアンプは、各チャンネルの音声信号に対応する増幅回路（以下、単にアンプという。）を備え、各チャンネルの音声信号を増幅し、外部に接続された各チャンネルのスピーカーに音声信号を出力する。
【００１７】
図１は、ＡＶアンプ１が受信するマルチチャンネル音声データに含まれる各チャンネルの音声信号を説明する図である。マルチチャンネル音声データは、例えば、左音声信号ＦＬ、右音声信号ＦＲ、中央音声信号Ｃ、低域音声信号ＳＷ、サラウンド左音声信号ＳＬ、サラウンド右音声信号ＳＲ、サラウンド後方左音声信号ＳＢＬ、サラウンド後方右音声信号ＳＢＲ等を含む。
【００１８】
図２は、ＡＶアンプ１、及び、各チャンネルのスピーカーの配置の一例を説明する図である。ＡＶアンプ１には、左スピーカーＳＦＬ、右スピーカーＳＦＲ、中央スピーカーＳＣ、低域スピーカーＳＳＷ、サラウンド左スピーカーＳＳＬ、サラウンド右スピーカーＳＳＲ、サラウンド後方左スピーカーＳＳＢＬ、サラウンド後方右スピーカーＳＳＢＲが接続されている。
【００１９】
図３は、ＡＶアンプ１の要部を説明するブロック図である。ＡＶアンプ１は、マイコン（制御部）２と、複数チャンネルの音声信号を増幅する複数のアンプＡＦＬ〜ＡＳＷと、電源供給スイッチＳＷ１〜ＳＷ５と、電源回路４と、メモリ（ＲＯＭ、ＲＡＭ等）５と、操作部６と、表示部７とを備える。複数チャンネルのアンプＡＦＬ〜ＡＳＷには、各チャンネルに対応するスピーカーＳＦＬ〜ＳＳＷが接続可能である。
【００２０】
ＦＬアンプＡＦＬは、電源回路４から電源供給スイッチＳＷ１を介して供給される電源電圧に基づいて動作し、左音声信号ＦＬを増幅し、左スピーカーＳＦＬに出力する。ＦＲアンプＡＦＲは、電源回路４から電源供給スイッチＳＷ１を介して供給される電源電圧に基づいて動作し、右音声信号ＦＲを増幅し、右スピーカーＳＦＲに出力する。ＣアンプＡＣは、電源回路４から電源供給スイッチＳＷ２を介して供給される電源電圧に基づいて動作し、中央音声信号Ｃを増幅し、中央スピーカーＳＣに出力する。ＳＬアンプＡＳＬは、電源回路４から電源供給スイッチＳＷ３を介して供給される電源電圧に基づいて動作し、サラウンド左音声信号ＳＬを増幅し、サラウンド左スピーカーＳＳＬに出力する。ＳＲアンプＡＳＲは、電源回路４から電源供給スイッチＳＷ３を介して供給される電源電圧に基づいて動作し、サラウンド右音声信号ＳＲを増幅し、サラウンド右スピーカーＳＳＲに出力する。ＳＢＬアンプＡＳＢＬは、電源回路４から電源供給スイッチＳＷ４を介して供給される電源電圧に基づいて動作し、サラウンド後方左音声信号ＳＢＬを増幅し、サラウンド後方左スピーカーＳＳＢＬに出力する。ＳＢＲアンプＡＳＢＲは、電源回路４から電源供給スイッチＳＷ４を介して供給される電源電圧に基づいて動作し、サラウンド後方右音声信号ＳＢＲを増幅し、サラウンド後方右スピーカーＳＳＢＲに出力する。ＳＷアンプＡＳＷは、電源回路４から電源供給スイッチＳＷ５を介して供給される電源電圧に基づいて動作し、低域音声信号ＳＷを増幅し、低域スピーカーＳＳＷに出力する。
【００２１】
電源回路４は、ＦＬアンプＡＦＬ、ＦＲアンプＡＦＲ、ＣアンプＡＣ、ＳＬアンプＡＳＬ、ＳＲアンプＡＳＲ、ＳＢＬアンプＡＳＢＬ、ＳＢＲアンプＡＳＢＲ、及び、ＳＷアンプＡＳＷに、電源電圧を供給する回路である。電源回路４は、商用交流電源電圧が入力され、商用交流電源電圧を整流および平滑して、各アンプを駆動するための直流電源電圧を生成する。
【００２２】
電源スイッチＳＷ１〜ＳＷ５は、電源回路４に接続されており、電源回路４から供給された電源電圧を各チャンネルのアンプに供給する、又は、電源回路４から供給された電源電圧の各アンプへの供給を遮断する。詳細には、電源スイッチＳＷ１は、マイコン２からの制御信号によってオン状態又はオフ状態に制御され、オン状態のときに、電源回路４からの電源電圧をＦＬアンプＡＦＬ、及び、ＦＲアンプＡＦＲに供給し、オフ状態のときに、電源回路４からの電源電圧のＦＬアンプＡＦＬ、及び、ＦＲアンプＡＦＲへの供給を遮断する。電源スイッチＳＷ２は、マイコン２からの制御信号によってオン状態又はオフ状態に制御され、オン状態のときに、電源回路４からの電源電圧をＣアンプＡＣに供給し、オフ状態のときに、電源回路４からの電源電圧のＣアンプＡＣへの供給を遮断する。電源スイッチＳＷ３は、マイコン２からの制御信号によってオン状態又はオフ状態に制御され、オン状態のときに、電源回路４からの電源電圧をＳＬアンプＡＳＬ、及び、ＳＲアンプＡＳＲに供給し、オフ状態のときに、電源回路４からの電源電圧のＳＬアンプＡＳＬ、及び、ＳＲアンプＡＳＲへの供給を遮断する。電源スイッチＳＷ４は、マイコン２からの制御信号によってオン状態又はオフ状態に制御され、オン状態のときに、電源回路４からの電源電圧をＳＢＬアンプＡＳＢＬ、及び、ＳＢＲアンプＡＳＢＲに供給し、オフ状態のときに、電源回路４からの電源電圧のＳＢＬアンプＡＳＢＬ、及び、ＳＢＲアンプＡＳＢＲへの供給を遮断する。電源スイッチＳＷ５は、マイコン２からの制御信号によってオン状態又はオフ状態に制御され、オン状態のときに、電源回路４からの電源電圧をＳＷアンプＡＳＷに供給し、オフ状態のときに、電源回路４からの電源電圧のＳＷアンプＡＳＷへの供給を遮断する。
【００２３】
マイコン２は、メモリ５のＲＯＭに格納されているＡＶアンプ１の動作プログラムに基づいて、ＡＶアンプ１の各部を制御する。マイコン２は、その動作プログラムによって実行する機能として、スピーカー設定部２ａと、スイッチ制御部２ｂとを有する。スピーカー設定部２ａは、例えばユーザ操作に基づいて、スピーカー設定テーブルの設定動作を実行する。
【００２４】
メモリ５には、図４に示すスピーカー設定テーブルが格納されている。スピーカー設定テーブルは、各チャンネルのスピーカーの使用有無をユーザ操作に基づいて設定するためのテーブルである。スピーカー設定テーブルには、各スピーカーのチャンネルに対して、スピーカーをＡＶアンプ１に接続し、スピーカーに音声を出力する（スピーカー使用有の）場合には「ＹＥＳ」、スピーカーをＡＶアンプ１に接続せず、スピーカーに音声を出力しない（スピーカー無の）場合には「ＮＯ」が設定される。なお、現在市販されているＡＶアンプでは、「ＹＥＳ」と設定する代わりに、クロスオーバー周波数を設定するものが存在する。また、スピーカー設定テーブルをユーザ操作によって設定する代わりに、各チャンネルのスピーカーのＡＶアンプ１への接続有無をマイクによる集音等を使用して自動検出し、スピーカー使用有無を自動で設定してもよい。
【００２５】
スイッチ制御部２ｂは、各チャンネルのアンプに電源回路４からの電源電圧を供給する必要があるか否か（つまり、各チャンネルのアンプが音声信号を増幅するか否か）を判断し、その判断結果に基づいて、電源供給スイッチＳＷ１〜ＳＷ５のオン状態／オフ状態を制御する。つまり、スイッチ制御部２ｂは、音声信号を増幅するために電源回路４からの電源電圧を供給する必要があるチャンネルのアンプに電源回路４から電源電圧が供給され、音声信号を増幅しないために電源回路４からの電源電圧を供給する必要がないチャンネルのアンプには電源回路４から電源電圧が供給されないように、電源供給スイッチＳＷ１〜ＳＷ５のオン状態／オフ状態を制御する。
【００２６】
詳細には、スイッチ制御部２ｂは、スピーカー設定テーブルの設定内容を参照し、使用有無が「ＹＥＳ」に設定されているチャンネルのアンプには電源回路４からの電源電圧が供給され、「ＮＯ」に設定されているチャンネルのアンプには電源回路４からの電源電圧が供給されないように、電源供給スイッチＳＷ１〜ＳＷ５を制御する。または、ユーザ操作によって設定されるリスニングモードに基づいて、使用するスピーカーのチャンネルと、使用しないスピーカーのチャンネルとが決定される場合には、スイッチ制御部２ｂは、スピーカー設定テーブルの設定内容に代えて、設定されているリスニングモードに基づいて、使用するチャンネルのアンプには電源回路４からの電源電圧が供給され、使用しないチャンネルのアンプには電源回路４からの電源電圧が供給されないように、電源供給スイッチＳＷ１〜ＳＷ５を制御してもよい。
【００２７】
または、ＡＶアンプ１の図示しないＤＳＰは、外部から供給されるマルチチャンネル音声データに含まれている音声信号のチャンネル情報を、マルチチャンネル音声データから取得し、マイコン２に供給する。スイッチ制御部２ｂは、ＤＳＰから取得したチャンネル情報を判別することにより、マルチチャンネル音声データに音声信号が含まれているチャンネルのアンプに電源回路４から電源電圧が供給され、音声信号が含まれていないチャンネルのアンプに電源回路４からの電源電圧の供給を遮断するように、電源供給スイッチＳＷ１〜ＳＷ５を制御する。
【００２８】
操作部６は、ユーザ操作を受け付けるものであり、ＡＶアンプ１の筐体に設けられた操作ボタンや、リモコン送受信機等である。表示部７は、スピーカー設定テーブル等の設定画面を表示するものであり、ＦＬ管やＬＣＤ等である。表示部７は、ＡＶアンプ１に接続されるディスプレイ装置にＯＳＤを表示させるＯＳＤ表示部であってもよい。
【００２９】
以下、本実施形態の動作を説明する。図５は、マイコン２の処理を示すフローチャートである。マイコン２は、スピーカー設定テーブルがユーザ操作により又は集音マイクを使用して自動的に設定されたか否かを判断している（Ｓ１）。スピーカー設定テーブルが設定された場合（Ｓ１でＹＥＳ）、マイコン２は、スピーカー設定テーブルのＳＦＬ、ＳＦＲが「ＮＯ」に設定されているか否かを判断する（Ｓ２）。「ＮＯ」に設定されている場合（Ｓ２でＹＥＳ）、マイコン２は、ＦＬアンプＡＦＬ、ＦＲアンプＡＦＲへの電源電圧の供給を遮断するように電源供給スイッチＳＷ１をオフ状態に制御する（Ｓ３）。従って、音声信号を増幅しないＦＬアンプＡＦＬ、ＦＲアンプＡＦＲには電源電圧が供給されないので、無駄な電力消費の発生を防止できる。一方、「ＹＥＳ」に設定されている場合（Ｓ２でＮＯ）、マイコン２は、ＦＬアンプＡＦＬ、ＦＲアンプＡＦＲに電源電圧が供給されるように電源供給スイッチＳＷ１をオン状態に制御する（Ｓ４）。従って、ＦＬアンプＡＦＬ、ＦＲアンプＡＦＲには電源電圧が供給されるので、音声信号を増幅することができる。
【００３０】
次に、マイコン２は、スピーカー設定テーブルのＳＣが「ＮＯ」に設定されているか否かを判断する（Ｓ５）。「ＮＯ」に設定されている場合（Ｓ５でＹＥＳ）、マイコン２は、ＣアンプＡＣへの電源電圧の供給を遮断するように電源供給スイッチＳＷ２をオフ状態に制御する（Ｓ６）。従って、音声信号を増幅しないＣアンプＡＣには電源電圧が供給されないので、無駄な電力消費の発生を防止できる。一方、「ＹＥＳ」に設定されている場合（Ｓ５でＮＯ）、マイコン２は、ＣアンプＡＣに電源電圧が供給されるように電源供給スイッチＳＷ２をオン状態に制御する（Ｓ７）。従って、ＣアンプＡＣには電源電圧が供給されるので、音声信号を増幅することができる。
【００３１】
次に、マイコン２は、スピーカー設定テーブルのＳＳＬ、ＳＳＲが「ＮＯ」に設定されているか否かを判断する（Ｓ８）。「ＮＯ」に設定されている場合（Ｓ８でＹＥＳ）、マイコン２は、ＳＬアンプＡＳＬ、ＳＲアンプＡＳＲへの電源電圧の供給を遮断するように電源供給スイッチＳＷ３をオフ状態に制御する（Ｓ９）。従って、音声信号を増幅しないＳＬアンプＡＳＬ、ＳＲアンプＡＳＲには電源電圧が供給されないので、無駄な電力消費の発生を防止できる。一方、「ＹＥＳ」に設定されている場合（Ｓ８でＮＯ）、マイコン２は、ＳＬアンプＡＳＬ、ＳＲアンプＡＳＲに電源電圧が供給されるように電源供給スイッチＳＷ３をオン状態に制御する（Ｓ１０）。従って、ＳＬアンプＡＳＬ、ＳＲアンプＡＳＲには電源電圧が供給されるので、音声信号を増幅することができる。
【００３２】
次に、マイコン２は、スピーカー設定テーブルのＳＳＢＬ、ＳＳＢＲが「ＮＯ」に設定されているか否かを判断する（Ｓ１１）。「ＮＯ」に設定されている場合（Ｓ１１でＹＥＳ）、マイコン２は、ＳＢＬアンプＡＳＢＬ、ＳＢＲアンプＡＳＢＲへの電源電圧の供給を遮断するように電源供給スイッチＳＷ４をオフ状態に制御する（Ｓ１２）。従って、音声信号を増幅しないＳＢＬアンプＡＳＢＬ、ＳＢＲアンプＡＳＢＲには電源電圧が供給されないので、無駄な電力消費の発生を防止できる。一方、「ＹＥＳ」に設定されている場合（Ｓ１１でＮＯ）、マイコン２は、ＳＢＬアンプＡＳＢＬ、ＳＢＲアンプＡＳＢＲに電源電圧が供給されるように電源供給スイッチＳＷ４をオン状態に制御する（Ｓ１３）。従って、ＳＢＬアンプＡＳＢＬ、ＳＢＲアンプＡＳＢＲには電源電圧が供給されるので、音声信号を増幅することができる。
【００３３】
次に、マイコン２は、スピーカー設定テーブルのＳＳＷが「ＮＯ」に設定されているか否かを判断する（Ｓ１４）。「ＮＯ」に設定されている場合（Ｓ１４でＹＥＳ）、マイコン２は、ＳＷアンプＡＳＷへの電源電圧の供給を遮断するように電源供給スイッチＳＷ５をオフ状態に制御する（Ｓ１５）。従って、音声信号を増幅しないＳＷアンプＡＳＷには電源電圧が供給されないので、無駄な電力消費の発生を防止できる。一方、「ＹＥＳ」に設定されている場合（Ｓ１４でＮＯ）、マイコン２は、ＳＷアンプＡＳＷに電源電圧が供給されるように電源供給スイッチＳＷ５をオン状態に制御する（Ｓ１６）。従って、ＳＷアンプＡＳＷには電源電圧が供給されるので、音声信号を増幅することができる。
【００３４】
以上の処理によって、各チャンネルのアンプのうち、スピーカー設定テーブルにスピーカーを使用しないように設定されているチャンネルのアンプには電源電圧を供給しないことにより、無駄な電力消費の発生を防止することができる。
【００３５】
図６は、別の実施形態によるマイコン２の処理を示すフローチャートである。マイコン２は、マルチチャンネル音声データに左音声信号ＦＬ、又は、右音声信号ＦＲが含まれているか否かを判断する（Ｓ２１）。含まれていない場合（Ｓ２１でＮＯ）、マイコン２は、ＦＬアンプＡＦＬ、ＦＲアンプＡＦＲへの電源電圧の供給を遮断するように電源供給スイッチＳＷ１をオフ状態に制御する（Ｓ２２）。従って、音声信号を増幅しないＦＬアンプＡＦＬ、ＦＲアンプＡＦＲには電源電圧が供給されないので、無駄な電力消費の発生を防止できる。一方、含まれている場合（Ｓ２１でＹＥＳ）、マイコン２は、ＦＬアンプＡＦＬ、ＦＲアンプＡＦＲに電源電圧が供給されるように電源供給スイッチＳＷ１をオン状態に制御する（Ｓ２３）。従って、ＦＬアンプＡＦＬ、ＦＲアンプＡＦＲには電源電圧が供給されるので、音声信号を増幅することができる。
【００３６】
次に、マイコン２は、マルチチャンネル音声データに中央音声信号Ｃが含まれているか否かを判断する（Ｓ２４）。含まれていない場合（Ｓ２４でＮＯ）、マイコン２は、ＣアンプＡＣへの電源電圧の供給を遮断するように電源供給スイッチＳＷ２をオフ状態に制御する（Ｓ２５）。従って、音声信号を増幅しないＣアンプＡＣには電源電圧が供給されないので、無駄な電力消費の発生を防止できる。一方、含まれている場合（Ｓ２４でＹＥＳ）、マイコン２は、ＣアンプＡＣに電源電圧が供給されるように電源供給スイッチＳＷ２をオン状態に制御する（Ｓ２６）。従って、ＣアンプＡＣには電源電圧が供給されるので、音声信号を増幅することができる。
【００３７】
次に、マイコン２は、マルチチャンネル音声データにサラウンド左音声信号ＳＬ、又は、サラウンド右音声信号ＳＲが含まれているか否かを判断する（Ｓ２７）。含まれていない場合（Ｓ２７でＮＯ）、マイコン２は、ＳＬアンプＡＳＬ、ＳＲアンプＡＳＲへの電源電圧の供給を遮断するように電源供給スイッチＳＷ３をオフ状態に制御する（Ｓ２８）。従って、音声信号を増幅しないＳＬアンプＡＳＬ、ＳＲアンプＡＳＲには電源電圧が供給されないので、無駄な電力消費の発生を防止できる。一方、含まれている場合（Ｓ２７でＹＥＳ）、マイコン２は、ＳＬアンプＡＳＬ、ＳＲアンプＡＳＲに電源電圧が供給されるように電源供給スイッチＳＷ３をオン状態に制御する（Ｓ２９）。従って、ＳＬアンプＡＳＬ、ＳＲアンプＡＳＲには電源電圧が供給されるので、音声信号を増幅することができる。
【００３８】
次に、マイコン２は、マルチチャンネル音声データにサラウンド後方左音声信号ＳＢＬ、又は、サラウンド後方右音声信号ＳＢＲが含まれているか否かを判断する（Ｓ３０）。含まれていない場合（Ｓ３０でＮＯ）、マイコン２は、ＳＢＬアンプＡＳＢＬ、ＳＢＲアンプＡＳＢＲへの電源電圧の供給を遮断するように電源供給スイッチＳＷ４をオフ状態に制御する（Ｓ３１）。従って、音声信号を増幅しないＳＢＬアンプＡＳＢＬ、ＳＢＲアンプＡＳＢＲには電源電圧が供給されないので、無駄な電力消費の発生を防止できる。一方、含まれている場合（Ｓ３０でＹＥＳ）、マイコン２は、ＳＢＬアンプＡＳＢＬ、ＳＢＲアンプＡＳＢＲに電源電圧が供給されるように電源供給スイッチＳＷ４をオン状態に制御する（Ｓ３２）。従って、ＳＢＬアンプＡＳＢＬ、ＳＢＲアンプＡＳＢＲには電源電圧が供給されるので、音声信号を増幅することができる。
【００３９】
次に、マイコン２は、マルチチャンネル音声データに低域音声信号ＳＷが含まれているか否かを判断する（Ｓ３３）。含まれていない場合（Ｓ３３でＮＯ）、マイコン２は、ＳＷアンプＡＳＷへの電源電圧の供給を遮断するように電源供給スイッチＳＷ５をオフ状態に制御する（Ｓ３４）。従って、音声信号を増幅しないＳＷアンプＡＳＷには電源電圧が供給されないので、無駄な電力消費の発生を防止できる。一方、含まれている場合（Ｓ３３でＹＥＳ）、マイコン２は、ＳＷアンプＡＳＷに電源電圧が供給されるように電源供給スイッチＳＷ５をオン状態に制御する（Ｓ３５）。従って、ＳＷアンプＡＳＷには電源電圧が供給されるので、音声信号を増幅することができる。
【００４０】
以上の処理によって、各チャンネルのアンプのうち、マルチチャンネル音声データに音声信号が含まれていないチャンネルのアンプには電源電圧を供給しないことにより、無駄な電力消費の発生を防止することができる。
【００４１】
以上、本発明の好ましい実施形態を説明したが、本発明はこれらの実施形態には限定されない。ＡＶアンプの上記動作をコンピュータに実行させるためのプログラムおよびこれを記録した記録媒体という形態で提供されてもよい。
【産業上の利用可能性】
【００４２】
本発明は、ＡＶアンプ等に好適に採用され得る。
【符号の説明】
【００４３】
１            ＡＶアンプ
２            マイコン
４            電源回路
５            メモリ
６            操作部
７            表示部
【図１】
2011082718.tif 000003
【図２】
2011082718.tif 000004
【図３】
2011082718.tif 000005
【図４】
2011082718.tif 000006
【図５】
2011082718.tif 000007
【図６】
2011082718.tif 000008